(57)【要約】      （修正有）【課題】取付枠の上下方向に対してフロントパネルの位置決め調整を行うことが可能なフロントパネル取付構造を提供する。【解決手段】フロントパネル取付枠２０の底端部に、ビス止孔２５ａを有する台部２５を形成し、ビス止孔と位置合わせされたビス止孔３５を有する位置調整部をフロントパネル３０の底端部に形成する。フロントパネルの底端部には、ビス止孔と位置合わせされたビス止孔を形成し、位置調整部は形成しない。フロントパネル取付枠にフロントパネルを取り付け、フロントパネル取付枠の底端部とフロントパネルの底端部とを台部を介して当接させ、互いに連通するビス止孔にビスを挿入して固定する。台部と位置調整部とによって、フロントパネル取付枠の上下方向に対してフロントパネルの位置決め調整が行われる。台部２５と位置調整部とによって、フロントパネル３０のフロントパネル取付枠２０に対する寸法公差を低減することができる。【選択図】図４
2010009726.tif 000002
【特許請求の範囲】
【請求項１】
電子機器の筐体にフロントパネル取付枠を介してフロントパネルを取り付けるフロントパネル取付構造において、
前記フロントパネル取付枠の底端部に形成され、第１のビス止孔を有する台部と、
前記フロントパネルの底端部に、前記フロントパネル取付枠の前記第１のビス止孔に位置合わせして形成された第２のビス止孔と、を備え、
前記フロントパネル取付枠と前記フロントパネルの底端部とを前記台部を介して当接させ、互いに連通する前記第１，第２のビス止孔にビスを挿入して繰り込むことで、前記フロントパネル取付枠に前記フロントパネルを取り付けること、
を特徴とするフロントパネル取付構造。
【請求項２】
前記フロントパネルは、金属材のフロントパネルまたは合成樹脂材のフロントパネルであり、
前記フロントパネル取付枠に、前記金属材のフロントパネルまたは前記合成樹脂材のフロントパネルが選択的に取り付けられること、
を特徴とする請求項１に記載のフロントパネル取付構造。
【請求項３】
前記合成樹脂材のフロントパネルの前記底端部には、前記第２のビス止孔が形成されると共に、複数本の帯状の凹部と細い直線状の凸条部とが交互に位置するスノコ状の形状を有する高さ位置調整部が、前記台部に位置合わせして形成されていること、
を特徴とする請求項２に記載のフロントパネル取付構造。
【請求項４】
前記台部は、前記合成樹脂材のフロントパネルが選択的に取り付けられると、前記高さ位置調整部に当接し、前記金属材のフロントパネルが選択的に取り付けられると、前記金属材のフロントパネルの底端部の面に当接すること、
を特徴とする請求項２又は３に記載のフロントパネル取付構造。
【発明の詳細な説明】
【技術分野】
【０００１】
本発明は、電子機器の筐体に、フロントパネル取付枠を介して、フロントパネルを取り付けるためのフロントパネル取付構造に関する。
【背景技術】
【０００２】
一般に、メーカー側から提供される電子機器にあっては、ユーザの嗜好やニーズ等に合わせた、いわゆるハイエンドからローエンドの製品がラインナップされている。
【０００３】
例えば、機能と外観形状が基本的に同じ電子機器であっても、機能だけでなく質感をも重視するユーザと、主として機能を優先するユーザとを考慮し、質感を高めた金属材で形成されたフロントパネルが取り付けられたハイエンドの電子機器と、合成樹脂材で形成されたフロントパネルが取り付けられたローエンドの電子機器とが提供されている。
【０００４】
ところで、一般に、金属材のフロントパネル（以下、「金属製フロントパネル」と称する）は金型を用いた押し出し加工やプレス加工（鍛造加工）によって形成され、合成樹脂材のフロントパネル（以下、「樹脂製フロントパネル」と称する）は金型を用いた射出成型によって形成されているが、夫々の金型成型技術には違いがあるため、同じ形状に形成することとしても金属製フロントパネルと樹脂製フロントパネルとでは、筐体に対する寸法公差に違いが生じ易い。
【０００５】
そのため、製品をラインナップする上で、金属製フロントパネルを設けた電子機器と樹脂製フロントパネルを設けた電子機器とを同じ外観形状にすることが極めて重要となっている。
こうした課題を解決するため、特許文献１において「電子機器外筐のフロントパネル取付装置」が提案されている。
【０００６】
この特許文献１のフロントパネル取付装置は、同文献１の図１、図２、図３等及び詳細な説明の段落〔００２０〕〜〔００２６〕に記載されているように、箱型形状の電子機器外筐（５）にフロントパネル取付枠（２）を取り付け、更にそのフロントパネル取付枠（２）に、アルミサッシュ材（金属材）やモールド材（合成樹脂材）で形成された垂直断面形状がほぼコ字状で横長のフロントパネル（１）をねじ止め固定するものであり、フロントパネル（１）の上下一対の取付片（１ａ，１ｂ）のうちの一方をフロントパネル取付枠（２）の上下一対の取付片（２ａ，２ｂ）のうちの一方に第１のねじ（３）によって締めつけ完全に固定した後、フロントパネル取付枠（２）の上下一対の取付片（２ａ，２ｂ）のうちの他方に固定した第２のねじ（４）の頭部を、フロントパネル（１）の上下一対の取付片（１ａ，１ｂ）のうちの他方に形成した位置決め穴（２０）内に嵌合させて固定することで、フロントパネル（１）をフロントパネル取付枠（２）に対して不動状態に固定する構造となっている。
【０００７】
かかる構成のフロントパネル取付装置によると、アルミサッシュ材やモールド材で形成されたフロントパネル（１）のフロントパネル取付枠（２）に対する位置決め調整を、フロントパネル取付枠（２）に対して左右方向と前後方向に調整することができ、例えば外観体裁を向上させることができるとしている。
【特許文献１】特開平６−８９５５９号公報
【発明の開示】
【発明が解決しようとする課題】
【０００８】
ところが、特許文献１に記載されているフロントパネル取付装置では、上述したように、フロントパネル取付枠に対して、同じ形状として形成されたアルミサッシュ材やモールド材で形成されたフロントパネルを、左右方向と前後方向に位置決め調整することができるのであるが、フロントパネル取付枠に対して、同じ形状として形成されたアルミサッシュ材やモールド材で形成されたフロントパネルを、それぞれ独立させて上下方向に位置決め調整することができない。そのため、従来から言われている課題を効果的に解決することができない場合がある。
【０００９】
つまり、上述した金型成型技術の違いに起因して、フロントパネル取付枠に対するアルミサッシュ材のフロントパネル（つまり、金属製フロントパネル）とモールド材で形成されたフロントパネル（つまり、樹脂製フロントパネル）との寸法公差に違いが生じ、その寸法公差がフロントパネル取付枠に対して上下方向に生じた場合には、特許文献１に記載されているフロントパネル取付装置では調整することができず、電子機器の外観体裁や製品品質の向上を図ることが難しくなる場合がある。
【００１０】
本発明は、こうした従来技術に残されている課題を解決するためになされたものであり、同じ形状として金型成型される金属製フロントパネルと合成樹脂製フロントパネルを選択的に電子機器の筐体に取り付ける場合に、それらのフロントパネルを上下方向において独立させて位置決め調整して取り付けることができ、電子機器の外観体裁や製品品質の向上等を図ることを可能にするフロントパネル取付構造を提供することを目的とする。
【課題を解決するための手段】
【００１１】
請求項１に記載の発明は、電子機器の筐体にフロントパネル取付枠を介してフロントパネルを取り付けるフロントパネル取付構造において、前記フロントパネル取付枠の底端部に形成され、第１のビス止孔を有する台部と、前記フロントパネルの底端部に、前記フロントパネル取付枠の前記第１のビス止孔に位置合わせして形成された第２のビス止孔と、を備え、前記フロントパネル取付枠と前記フロントパネルの底端部とを前記台部を介して当接させ、互いに連通する前記第１，第２のビス止孔にビスを挿入して繰り込むことで、前記フロントパネル取付枠に前記フロントパネルを取り付けること、を特徴とする。
【００１２】
請求項２に記載の発明は、請求項１記載のフロントパネル取付構造において、前記フロントパネルは、金属材のフロントパネルまたは合成樹脂材のフロントパネルであり、前記フロントパネル取付枠に、前記金属材のフロントパネルまたは前記合成樹脂材のフロントパネルが選択的に取り付けられること、を特徴とする。
【００１３】
請求項３に記載の発明は、請求項２記載のフロントパネル取付構造において、前記合成樹脂材のフロントパネルの前記底端部には、前記第２のビス止孔が形成されると共に、複数本の帯状の凹部と細い直線状の凸条部とが交互に位置するスノコ状の形状を有する高さ位置調整部が、前記台部に位置合わせして形成されていること、を特徴とする。
【００１４】
請求項４に記載の発明は、請求項２又は３に記載のフロントパネル取付構造において、前記台部は、前記合成樹脂材のフロントパネルが選択的に取り付けられると、前記高さ位置調整部に当接し、前記金属材のフロントパネルが選択的に取り付けられると、前記金属材のフロントパネルの底端部の面に当接すること、を特徴とする。
【発明を実施するための最良の形態】
【００１５】
本発明の好適な実施形態について図１ないし図５を参照して説明する。なお、本実施形態に係る電子機器の取付構造は、光ディスクに記録されている情報を再生したり光ディスクに情報を記録する情報記録再生装置に適用されたものである。ただし、情報記録再生装置に限らず、フロントパネルを有する電子機器に広く応用することが可能である。
まず、図１を参照して、本実施形態に係る電子機器の構造を概説する。 
【００１６】
電子機器の箱形形状の筐体１０には、その前面側に開口部（図示略）が形成されている。その開口部に矩形且つ箱形状のフロントパネル取付枠２０が取り付けられてねじ止固定され、フロントパネル取付枠２０の前面に矩形状のフロントパネル３０が取り付けられている。
【００１７】
フロントパネル取付枠２０は、金型を用いて射出成型された合成樹脂材から成り、電源スイッチや音量調整用のダイヤ式操作釦（図示を省略）が設けられる貫通穴２１ａ，２１ｂ（図２参照）と、筐体１０内に設けられている光ディスク搬送用のディスクトレイを出し入れするための矩形状の貫通穴２１ｃ等が形成されている。
【００１８】
フロントパネル３０は、金型を用いて射出成型された合成樹脂材から成る樹脂製フロントパネル、または、金型を用いて押し出し加工やプレス加工（鍛造加工）された金属材から成る金属製フロントパネルであり、製品ラインナップに応じて、樹脂製フロントパネルまたは金属製フロントパネルが選択的に取り付けられるようになっている。
【００１９】
更に、樹脂製フロントパネルも金属製フロントパネルも、外観上同じ形状に形成されており、フロントパネル取付枠２０に取り付けられると、フロントパネル取付枠２０に形成されている貫通穴２１ａ，２１ｂに連通することとなる貫通穴３１ａ，３１ｂと、ディスクトレイを出し入れするための貫通穴２１ｃに連通することとなる矩形状の貫通穴３１ｃ等が形成されている。また、連通した貫通穴２１ａ，３１ａと２１ｂ，３１ｂに、上述の電源スイッチや音量調整用のダイヤ式操作釦が取り付けられるようになっている。
【００２０】
図２と図３、図４は、図１に示したフロントパネル取付枠２０と樹脂製フロントパネル３０を筐体１０に取り付ける前の状態を示した分解斜視図である。更に図２はフロントパネル取付枠２０と樹脂製フロントパネル３０を前面側（つまり、パネル面側）の斜め上方から見た場合、図３はフロントパネル取付枠２０と樹脂製フロントパネル３０を裏面側（つまり、筐体１０の側）の斜め上方から見た場合、図４はフロントパネル取付枠２０と樹脂製フロントパネル３０の底面側から見た場合の形状を示している。
【００２１】
なお、金属製フロントパネル３０も、樹脂製フロントパネル３０と外観上同じ形状を有しており、図２、図３、図４と同様にして、フロントパネル取付枠２０に取り付けられるが、金属製フロントパネル３０の樹脂製フロントパネル３０との構造上の違いについては、図５を参照して説明することとする。
【００２２】
まず、図２に示されているように、フロントパネル取付枠２０の背面側の所定部分には、筐体１０の開口部に嵌合させてねじ止固定するための、複数の取付片２０ａ，２０ｂが形成されている。
【００２３】
フロントパネル取付枠２０の前面には、樹脂製または金属製のフロントパネル３０が選択的に取り付けられるほぼ矩形状で若干奥まった面を有するパネル取付領域Ｐが形成されている。
【００２４】
パネル取付領域Ｐの所定位置には、樹脂製または金属製のフロントパネル３０の裏面上端に一体形成されている複数の取付片３２ａ，３２ｂを嵌装するための複数の嵌装穴２２ａ，２２ｂが形成され、更に、嵌装穴２２ａ，２２ｂ内には、取付片３２ａ，３２ｂに形成されている矩形状の嵌合孔３２aa，３２bb内に嵌合して固着する鈎形の嵌合フック２２aa，２２bbが形成されている。ここで、複数の嵌装穴２２ｂと嵌合フック２２bbは、上下方向において貫通穴２１ｃ側に寄った位置に形成され、複数の嵌装穴２２ａと嵌合フック２２aaは、嵌装穴２２ｂ等よりも上下方向において貫通穴２１ｃから離れた位置形成されている。
【００２５】
更に、パネル取付領域Ｐには、樹脂製または金属製のフロントパネル３０の裏面に当接してパネル取付領域Ｐの面から前面側に所定の高さ分だけ離隔させる複数の突条部２３，２４が形成されている。複数の突条部２３，２４は全て、パネル取付領域Ｐの面から同じ高さに形成されているため、樹脂製または金属製のフロントパネル３０がパネル取付領域Ｐの面に対して前後方向に傾くことなく取り付けられるようになっている。
次に、図３に基づいて、フロントパネル取付枠２０と樹脂製フロントパネル３０の裏面側の構造を更に説明する。
【００２６】
フロントパネル取付枠２０には、上述したように、複数の嵌装穴２２ａ，２２ｂの夫々の中央部分から裏面側に向けて突出された複数の鍵状の嵌合フック２２aa，２２bbが一体形成されている。また、樹脂製フロントパネル３０の所定位置、すなわちフロントパネル取付枠２０の嵌装穴２２ａ，２２ｂに対向する位置に、複数の嵌装穴２２ａ，２２ｂに嵌装される複数の取付片３２ａ，３２ｂが形成されている。
【００２７】
更に、フロントパネル取付枠２０の底端側にも、上述した嵌装穴２２ａ，２２ｂと同様の構造からなる複数の嵌装穴２３ａが形成され、夫々の嵌装穴２３ａ内のほぼ中央部分に嵌合フック２２aa，２２bbと同様の構造からなる鈎状の嵌合フック２３aaが一体形成されている。
【００２８】
ここで、嵌合フック２３aaを備えた嵌装穴２３ａは、フロントパネル取付枠２０の前面側から見て奥側に凹んだ段部Ｒに形成されている（図２参照）。別言すると、図３のように裏面側から見ると、上述の段部Ｒは凸状の階段状に形成されている。
【００２９】
一方、樹脂製フロントパネル３０の底端側にも、上述した取付片３２ａ，３２ｂと同様の構造からなる複数の取付片３３ａが一体形成され、夫々の取付片３３ａには、上述した鈎状の嵌合フック２３aaが嵌合する嵌合孔３３aaが形成されている。
【００３０】
そして、組み立て工程において、樹脂製フロントパネル３０の取付片３２ａ，３２ｂと３３ａを、フロントパネル取付枠２０の嵌装穴２２ａ，２２ｂと２３ａに嵌装すると、夫々の取付片に形成されている嵌合孔と嵌合フックとが嵌合し、位置ずれや傾きなどを軽減して樹脂製フロントパネル３０をフロントパネル取付枠２０に取り付けることができるようになっている。
【００３１】
更に、樹脂製フロントパネル３０の底端部には、複数の高さ位置調整部３４が取付片３３ａと並ぶようにして形成されている。つまり、樹脂製フロントパネル３０の取付片３３ａがフロントパネル取付枠２０の嵌装穴２３ａに嵌装されると上述の段部Ｒの裏面に当接するように、樹脂製フロントパネル３０の底端部の所定位置に、複数の高さ位置調整部３４が形成されている。
【００３２】
更に、夫々の高さ位置調整部３４は、複数本の帯状の凹部３４ａと細い直線状の凸条部３４ｂとが交互に位置するスノコ状の形状を有している。そして、夫々の高さ位置調整部３４の中央部分に、ビスを挿入してビス止めされるビス止孔３５が形成されている。つまり、図６に拡大して示す構造を有する高さ位置調整部３４が、複数の各取付片３３ａの隣で、複数の箇所（図３では、４カ所）に均等に形成されている。なお、高さ位置調整部３４がスノコ状に形成されている理由については後述することとする。
【００３３】
一方のフロントパネル取付枠２０の段部Ｒの面には、図４に示すように、高さ位置調整部３４と位置合わせられた所定部分に、複数の平たい皿状の台部２５が形成され、更に夫々の台部２５の中央部分に、高さ位置調整部３４のビス止孔３５と位置合せされたビス止孔２５ａが形成され、更に、ビス止孔２５ａは、図３に示されている複数の嵌装穴２３ａに並ぶようにして段部Ｒに形成されている円筒状のビス止部２６に、上下方向に貫通して形成されている。
【００３４】
ここで、凹部３４ａと凸条部３４ｂとを有するスノコ状の高さ位置調整部３４は、次のようにして形成されている。まず、詳細については後述するが、金属製フロントパネル３０には高さ位置調整部３４を形成せず、樹脂製フロントパネル３０だけに高さ位置調整部３４を形成することとしている。その理由としては、金属製フロントパネル３０を金型で押し出し加工や鍛造加工する際、高さ位置調整部３４のような出っ張った部分を形成することができず、一方、樹脂製フロントパネル３０を金型で射出成型する際、高さ位置調整部３４を形成することができるからである。
【００３５】
そして、金属製フロントパネル３０の金型を作成する際、試作した金型で形成した金属製フロントパネル３０をフロントパネル取付枠２０に組み付け、フロントパネル取付枠２０に形成されている台部２５と金属製フロントパネル３０とが互いに所定の位置関係で当接しているか等を調べ、ガタや隙間等のバラツキが生じていた場合にはそれらのバラツキを測定して、その測定結果に基づいて、金属製フロントパネル３０の金型を修正加工することで、金属製フロントパネル３０を製造するための最終的な金型を形成する。一方、樹脂製フロントパネル３０の金型を作成する際には、試作した金型で射出成型した樹脂製フロントパネル３０をフロントパネル取付枠２０に組み付け、樹脂製フロントパネル３０のフロントパネル取付枠２０に対する位置関係と、金属製造フロントパネルのフロントパネル取付枠２０に対する位置関係とが同じ状態となるか否か、更にフロントパネル取付枠２０に形成されている台部２５と樹脂製フロントパネル３０の高さ位置調整部３４との当接面にガタや隙間等のバラツキが生じていないか等を調べて、それらのバラツキを測定し、その測定結果に基づいて、高さ位置調整部３４の凹部３４ａと凸条部３４ｂの高さや傾き等を調整するように樹脂製フロントパネル３０の金型を修正加工することで、樹脂製フロントパネル３０を製造するための最終的な金型を形成する。
そして、修正加工して最終的に作成された上述の夫々の金型を用いて、金属製フロントパネル３０と樹脂製フロントパネル３０を量産する。
【００３６】
このように、樹脂製フロントパネル３０の高さ位置調整部３４を調整するように金型を修正加工することで、樹脂製フロントパネル３０と金属製フロントパネル３０とのフロントパネル取付枠２０に対する寸法公差を大幅に低減することを可能にしている。
【００３７】
そして、樹脂製フロントパネル３０を用いる組み立て工程では、樹脂製フロントパネル３０の複数の取付片３３ａがフロントパネル取付枠２０の複数の嵌装穴２３ａに嵌装されると、樹脂製フロントパネル３０の高さ位置調整部３４が、段部Ｒの裏面側から、フロントパネル取付枠２０の台部２５に当接し、更に予め位置合わせして形成されている夫々のビス止孔２５ａ，３５が自動的に合致し、その合致した同士のビス止孔２５ａ，３５内に、段部Ｒの路面側からビスが挿入されて、フロントパネル取付枠２０に対するフロントパネル３０の取り付けが行われる。
【００３８】
また、金属製フロントパネル３０を用いる組み立て工程では、金属製フロントパネル３０の複数の取付片３３ａがフロントパネル取付枠２０の複数の嵌装穴２３ａに嵌装され、ビス止孔２５ａ，３５にビス止めされることで、フロントパネル取付枠２０に対するフロントパネル３０の取り付けが行われる。
【００３９】
更に、樹脂製フロントパネル３０の凸条部３４ｂは、樹脂製フロントパネル３０の高さ位置調整部３４毎に独立して、その高さや傾き等を調整することができるため、上述した金型を修正加工し易いという効果が得られる。
更に、ここで、樹脂製フロントパネル３０に、高さ位置調整部３４がスノコ状に形成されている理由について説明する。
【００４０】
上述のビス止めが行われると、夫々の高さ位置調整部３４が仮に平坦な皿状の台部で形成した場合には、当接する他方の台部２５が平らであることから、両者の部分が面接触しようとして、コジリを生じたり、ガタが生じ易い。特に、複数の高さ位置調整部３４と複数の台部２５が個々に当接するので、高さ位置調整部３４を仮に平坦な皿状の台部で形成した場合には、コジリを生じたり、ガタが生じ易い。しかし、本実施形態の高さ位置調整部３４はスノコ状に形成されているため、夫々の高さ位置調整部３４を構成している細い直線状の凸条部３４ａが、当接する側の台部２５の面に線接触することとなり、コジリやガタの発生を抑制することができ、位置精度も出しやすく、金型の調整も行いやすい。このように、本実施形態では、樹脂製フロントパネル３０に、高さ位置調整部３４がスノコ状に形成されているため、樹脂製フロントパネル３０をフロントパネル取付枠２０に安定して取り付けることができるようになっている。
【００４１】
次に、図４において、フロントパネル取付枠２０の段部Ｒの略中央部分に、係止突起Ｑ１に突設され、フロントパネル３０の底端部の略中央部分に、係止突起Ｑ１と予め位置合わせされている切り欠き状の係止溝Ｑ２が形成されている。そして、フロントパネル取付枠２０にフロントパネル３０を組み付けると、係止突起Ｑ１が係止溝Ｑ２に嵌り込み、フロントパネル取付枠２０の左右方向におけるフロントパネル３０の位置決めが自動的に実現される。
【００４２】
次に、図５に基づいて、金属製フロントパネル３０の構造を説明する。図５と図３を比較すると判るように、金属製フロントパネル３０には、上述したように、樹脂製フロントパネル３０には形成されている高さ位置調整部３４が形成されておらず、他の部分はほぼ樹脂製フロントパネル３０と同じ構造及び同じ寸法で形成されている。つまり、金属製フロントパネル３０と樹脂製フロントパネル３０は素材が異なるだけで外観上同じ形状となっており、樹脂製フロントパネル３０とのコンパチビリティが得られるように、金属製フロントパネル３０にも、嵌合穴３２aa，３２bbを有する取付片３２ａ，３２ｂ、嵌合穴３３aa，３３bbを有する取付片３３ａ，３３ｂ、係止溝Ｑ２、ビス止孔３５、貫通穴３１ａ，３１ｂ，３１ｃが形成されている。
【００４３】
なお、前述したように、金属製フロントパネル３０を金型形成する際、左右方向（横長方向）に型抜きが行われるため、その左右方向に対して交差する方向には、出っ張りとなる高さ位置調整部３４を形成することができない。そのため、金属製フロントパネル３０には、ビス止孔３５は形成されているが、高さ位置調整部３４が形成されていない。
【００４４】
一方の樹脂製フロントパネル３０は射出成型にて形成されるため、型抜きの方向が金属製フロントパネルの場合のようには制限されない。このため、樹脂製フロントパネル３０には高さ位置調整部３４を形成し、金属製フロントパネル３０には高さ位置調整部３４を形成しないことにし、夫々の金型成型技術の違いに対応させて樹脂製と金属製のフロントパネル３０を形成している。
次に、図１〜図５を参照しつつ、組み立て構成について説明する。
【００４５】
まず、樹脂製フロントパネル３０を用いる場合について説明する。図２、図３に示されている、樹脂製フロントパネル３０の取付片３２ａ，３２ｂと３３ａ，３３ｂをフロントパネル取付枠２０の嵌合穴２２ａ，２２ｂと２３ａ内に挿入する。これにより、嵌合フック２２aa，２２bbと２３aaが嵌合穴２２ａ，２２ｂと２３ａに嵌り合い、更に、係止突起Ｑ１が係止溝Ｑ２に嵌り合って、簡単に樹脂製フロントパネル３０をフロントパネル取付枠２０に取り付けることができる。更に、図４に示したビス止孔２５ａと３５同士が自動的に位置合わせされる。
【００４６】
次に、樹脂製フロントパネル３０の夫々のビス止孔３５側からビスを挿入して繰り込むことで、樹脂製フロントパネル３０をフロントパネル取付枠２０に固定する。
そして、樹脂製フロントパネル３０を取り付けたフロントパネル取付枠２０を電子機器の筐体１０に取り付けてネジ止めする。
【００４７】
次に、金属製フロントパネル３０を用いる場合について説明すると、金属製フロントパネル３０の取付片３２ａ，３２ｂと３３ａ，３３ｂをフロントパネル取付枠２０の嵌合穴２２ａ，２２ｂと２３ａ内に挿入する。これにより、嵌合フック２２aa，２２bbと２３aaが嵌合穴２２ａ，２２ｂと２３ａに嵌り合い、更に、係止突起Ｑ１が係止溝Ｑ２に嵌り合って、簡単に金属製フロントパネル３０をフロントパネル取付枠２０に取り付けることができる。更に、ビス止孔２５ａと３５同士が自動的に位置合わせされる。
【００４８】
次に、金属製フロントパネル３０の夫々のビス止孔３５側からビスを挿入して繰り込むことで、金属製フロントパネル３０をフロントパネル取付枠２０に固定する。
そして、金属製フロントパネル３０を取り付けたフロントパネル取付枠２０を電子機器の筐体１０に取り付けてネジ止めする。
つまり、金属製フロントパネル３０も樹脂製フロントパネル３０も同じ組み立て手順で、フロントパネル取付枠２０に設けることができる。
【００４９】
以上に説明したように、本実施形態のフロントパネル取付構造は、金属製フロントパネル３０と樹脂製フロントパネル３０の両者にビス止孔３５を形成し、樹脂製フロントパネル３０には、金属製フロントパネル３０に形成することができない高さ調整部３４を形成し、フロントパネル取付枠２０にはビス止孔２５ａを有する台部２５を形成しておき、ビス止めによって、金属製フロントパネル３０又は樹脂製フロントパネル３０を選択的にフロントパネル取付枠２０に取り付ける点に特徴を有している。
【００５０】
そして、個々の高さ位置調整部３４と個々のフロントパネル取付枠２０の台部２５を独立して調整して形成することができる、すなわち、個々の高さ位置調整部３４と個々のフロントパネル取付枠２０の台部２５の夫々の高さや傾き等を独立して調整して形成することができるため、フロントパネル取付枠２０の上下方向において、金属製フロントパネル３０も樹脂製フロントパネル３０も適正に位置決め調整することができ、外観上同じて見栄えが良く、製品ラインナップに堪えうる品質の揃った電子機器を製造することができる。
【００５１】
また、係止突起Ｑ１と係止溝Ｑ２との係止によって、金属製フロントパネル３０も樹脂製フロントパネル３０も、フロントパネル取付枠２０の左右方向（横方向）における位置決めを行うことでき、更に、パネル取付領域Ｐに形成されている複数の同じ高さの突条部２３，２４にてフロントパネル３０の裏面側を当接させるので、前後方向における位置決めを行うことできる。
【００５２】
このように、本実施形態のフロントパネル取付構造は、従来技術では難しかった、金属製フロントパネルと樹脂製フロントパネルを区別することなく、上下方向に位置決め調整することができる。そして、製品ラインナップに堪えうる品質の揃った電子機器を製造し提供することに、大きく寄与することが可能である。
【図面の簡単な説明】
【００５３】
【図１】電子機器の外観構造を示した斜視図である。
【図２】フロントパネル取付枠とフロントパネルを筐体に取り付ける前の状態を示した分解斜視図である。
【図３】フロントパネル取付枠とフロントパネルを筐体の側の斜め上方から見た場合を示した分解斜視図である。
【図４】フロントパネル取付枠とフロントパネルを底面側から見た場合の形状を示す分解斜視図である。
【図５】金属製フロントパネルの構造を示す斜視図である。
【図６】図３に示す高さ位置調整部の構造を拡大して示す斜視図である。
【符号の説明】
【００５４】
２０…フロントパネル取付枠
２５…台部
２５ａ…ビス止孔
３０…樹脂製フロントパネル、金属製フロントパネル
３４…高さ位置調整部
３４ａ…凹部
３４ｂ…凸条部
３５…ビス止孔
【図１】
2010009726.tif 000003
【図２】
2010009726.tif 000004
【図３】
2010009726.tif 000005
【図４】
2010009726.tif 000006
【図５】
2010009726.tif 000007
【図６】
2010009726.tif 000008